(57)【要約】【課題】本発明の課題は、外形サイズを小さくすることで小型化、低コスト化を可能とし、光ファイバの把持を簡易にすることで施工性を向上できる光ファイバ接続部収納装置を提供することにある。【解決手段】本発明は、光ファイバの心線同士が接続された光ファイバ心線接続部が収納される光ファイバ心線接続部収納部３２と、光ファイバの被覆を把持する突起構造よりなる光ファイバ被覆把持部３３とよりなる受け側部材３１と、受け側部材３１に被せるように嵌合される押さえ側部材３５とを具備することを特徴とするものである。【選択図】図１
2006323086.tif 000002
【特許請求の範囲】
【請求項１】
光ファイバの心線同士が接続された光ファイバ心線接続部が収納される光ファイバ心線接続部収納部と、光ファイバの被覆を把持する突起構造よりなる光ファイバ被覆把持部とよりなる受け側部材と、
前記受け側部材に被せるように嵌合される押さえ側部材と
を具備することを特徴とする光ファイバ接続部収納装置。
【請求項２】
受け側部材として、断面コ字状の細長体が用いられ、中央部に光ファイバ心線接続部収納部が設けられると共に、両端部にそれぞれ光ファイバ被覆把持部が設けられ、
押さえ側部材として、断面コ字状の細長体の両端部にそれぞれ光ファイバの被覆を把持する突起構造よりなる光ファイバ被覆把持部が設けられることを特徴とする請求項１に記載の光ファイバ接続部収納装置。
【請求項３】
光ファイバ被覆把持部の突起構造として、光ファイバの引張方向及び押し込み方向に突出した複数の突起が設けられることを特徴とする請求項１又は２に記載の光ファイバ接続部収納装置。
【請求項４】
光ファイバ被覆把持部の突起構造として、光ファイバの引張方向に４５°傾けて突出すると共に、光ファイバの押し込み方向に４５°傾けて突出した複数の突起が設けられることを特徴とする請求項３に記載の光ファイバ接続部収納装置。
【請求項５】
光ファイバ被覆把持部の突起構造として、光ファイバの引張方向に突出した突起と、光ファイバの押し込み方向に突出した突起が交互に設けられることを特徴とする請求項３又は４に記載の光ファイバ接続部収納装置。
【請求項６】
光ファイバ被覆把持部の突起構造として、光ファイバの引張方向に突出した突起と、光ファイバの押し込み方向に突出した突起が同一個数設けられることを特徴とする請求項３、４又は５に記載の光ファイバ接続部収納装置。
【請求項７】
受け側部材に、固定用穴が設けられたことを特徴とする請求項１乃至６のいずれかに記載の光ファイバ接続部収納装置。
【発明の詳細な説明】
【技術分野】
【０００１】
本発明は、配線ケーブルの延長施工に用いられ、光ファイバの接続部を収納する光ファイバ接続部収納装置に関するものである。
【背景技術】
【０００２】
図４は従来の光ファイバ接続部収納装置の一例である光ローゼットを示す分解上面図である。図４に示すように、光ローゼットは光ファイバ接続部収納本体１１とカバー１２より構成される。光ファイバ接続部収納本体１１にはインドア光ファイバ１３を把持するケーブル把持部１４が設けられ、インドア光ファイバ１３の心線１５は余長心線収納部１６に巻回されて収納される。心線１５同士を接続する心線接続部は接続部収納部１７に収納される。
【０００３】
図５及び図６は従来の光ファイバ把持具の一例であるテンションメンバ把持具を示す正面図である。図５（ａ）に示すように、テンションメンバ把持具２１の取付ネジ２２をゆるめて後、図５（ｂ）に示すように、光ファイバケーブル２３の被覆内部に備えられているテンションメンバ２４を露出させた状態で、図６に示すように、テンションメンバ２４をテンションメンバ把持具２１に取り付け、取付ネジ２２を締め付けることにより、テンションメンバ２４をテンションメンバ把持具２１に把持する。
【０００４】
従来の技術としては繋げようとする光ファイバ心線同士を融着スリーブやメカニカルスプライスにより接続し、その光ファイバ心線の接続時また再接続時に必要となる光ファイバ心線余長を確保し、その光ファイバ心線余長を収納する余長心線収納部を備えた光ローゼットなどが知られている。また光ファイバの把持にはケーブル把持部を利用したものや、ケーブル内部に備えられているケブラ材を用いて把持する方法などが知られている。
【０００５】
また、本発明に関連する公知技術として、配線ケーブル延長施工時、光ケーブルコネクタを使用して光ケーブルを接続する技術が知られている（例えば、特許文献１参照。）。
【特許文献１】特開２００４−２９１５５号公報
【発明の開示】
【発明が解決しようとする課題】
【０００６】
従来の余長心線収納部を備えた光ローゼットを使用すると光ファイバ接続部収納部に加えて、心線余長を確保するための余長心線収納部を必要とすることから、その筐体サイズが大きくなり、その筐体サイズに適した設置スペースを設ける必要があった。また、光ファイバの把持にケーブル把持部材や、テンションメンバ、ケブラなどを用いるためその把持のため専用の把持部材やケーブル加工を必要としていた。
【０００７】
本発明は上記の事情に鑑みてなされたもので、外形サイズを小さくすることで小型化、低コスト化を可能とし、光ファイバの把持を簡易にすることで施工性を向上できる光ファイバ接続部収納装置を提供することを目的とする。
【課題を解決するための手段】
【０００８】
上記目的を達成するために本発明の光ファイバ接続部収納装置は、光ファイバの心線同士が接続された光ファイバ心線接続部が収納される光ファイバ心線接続部収納部と、光ファイバの被覆を把持する突起構造よりなる光ファイバ被覆把持部とよりなる受け側部材と、前記受け側部材に被せるように嵌合される押さえ側部材とを具備することを特徴とするものである。
【０００９】
また本発明の光ファイバ接続部収納装置は、受け側部材として、断面コ字状の細長体が用いられ、中央部に光ファイバ心線接続部収納部が設けられると共に、両端部にそれぞれ光ファイバ被覆把持部が設けられ、押さえ側部材として、断面コ字状の細長体の両端部にそれぞれ光ファイバの被覆を把持する突起構造よりなる光ファイバ被覆把持部が設けられることを特徴とするものである。
【００１０】
また本発明の光ファイバ接続部収納装置は、光ファイバ被覆把持部の突起構造として、光ファイバの引張方向及び押し込み方向に突出した複数の突起が設けられることを特徴とするものである。
【００１１】
また本発明の光ファイバ接続部収納装置は、光ファイバ被覆把持部の突起構造として、光ファイバの引張方向に４５°傾けて突出すると共に、光ファイバの押し込み方向に４５°傾けて突出した複数の突起が設けられることを特徴とするものである。
【００１２】
また本発明の光ファイバ接続部収納装置は、光ファイバ被覆把持部の突起構造として、光ファイバの引張方向に突出した突起と、光ファイバの押し込み方向に突出した突起が交互に設けられることを特徴とするものである。
【００１３】
また本発明の光ファイバ接続部収納装置は、光ファイバ被覆把持部の突起構造として、光ファイバの引張方向に突出した突起と、光ファイバの押し込み方向に突出した突起が同一個数設けられることを特徴とするものである。
【００１４】
また本発明の光ファイバ接続部収納装置は、受け側部材に、固定用穴が設けられたことを特徴とするものである。
【発明の効果】
【００１５】
本発明の光ファイバ接続部収納装置は、外形サイズを小さくすることで小型化できるので、建物内における光配線の美観の向上や設置スペースの確保が容易になり、また構成物品点数の削減により低コスト化を可能とし、さらに光ファイバの把持を簡易にすることで施工性の向上につながり、光配線の普及に効果を発揮し、例えば光ファイバの延長接続作業を簡易化できる等の効果がある。
【発明を実施するための最良の形態】
【００１６】
以下図面を参照して本発明の実施の形態例を詳細に説明する。
【００１７】
図１は本発明の実施形態例に係る光ファイバ接続部収納装置を示す分解斜視図である。図１において、断面コ字状の細長体よりなる受け側部材３１は、中央部に光ファイバ心線接続部収納部３２が設けられ、前記光ファイバ心線接続部収納部３２には光ファイバの心線同士がメカニカルスプライス接続等で接続された光ファイバ心線接続部が収納される。前記受け側部材３１の両端部にはそれぞれ突起構造よりなる光ファイバ被覆把持部３３が設けられ、前記光ファイバ被覆把持部３３には光ファイバの被覆が把持される。前記受け側部材３１には複数の固定用穴３４が設けられ、前記固定用穴３４にはネジが挿入されて建物等に取り付けることにより、光配線される。
【００１８】
前記受け側部材３１には断面コ字状の細長体よりなる押さえ側部材３５が被せるように嵌合される。前記押さえ側部材３５の両端部にはそれぞれ突起構造よりなる光ファイバ被覆把持部３６が設けられ、前記光ファイバ被覆把持部３６には光ファイバの被覆が把持される。
【００１９】
図２（ａ）は本発明の実施形態例に係る光ファイバ接続部収納装置の使用状態を示す分解斜視図であり、図２（ｂ）は本発明の実施形態例に係る光ファイバ接続部収納装置の使用状態を示す斜視図である。図２（ａ）において、受け側部材３１の光ファイバ心線接続部収納部３２にはメカニカルスプライス接続等で接続された光ファイバ心線接続部３７が配置され、前記光ファイバ心線接続部３７は光ファイバ心線３８が接続される。受け側部材３１の光ファイバ被覆把持部３３にはインドア光ファイバ３９の被覆４０が配置され、前記インドア光ファイバ３９には光ファイバ心線３８が内蔵される。その後、図２（ｂ）において、前記受け側部材３１には押さえ側部材３５が被せるように嵌合される。この場合、押さえ側部材３５の両端部に設けられた光ファイバ被覆把持部３６によりインドア光ファイバ３９の被覆４０を挟持するようにして把持する。
【００２０】
図３は本発明の実施形態例に係る光ファイバ被覆把持部の突起構造を示す斜視図である。図３において、光ファイバ被覆把持部３３，３６の突起構造として、光ファイバの引張方向に４５°傾けて突出する４個の突起４１が設けられると共に、光ファイバの押し込み方向に４５°傾けて突出した４個の突起４２が一体に設けられる。前記各突起４１，４２は断面三角錐状に形成され、中央部に湾曲した凹部が形成されて構成される。
【００２１】
尚、光ファイバ被覆把持部の突起構造として、光ファイバの引張方向に突出した突起と、光ファイバの押し込み方向に突出した突起が交互に設けられるように構成してもよい。
【００２２】
また、光ファイバ被覆把持部の突起構造として、光ファイバの引張方向に突出した突起の個数と、光ファイバの押し込み方向に突出した突起の個数は任意の個数設けられるように構成してもよい。
【００２３】
また、受け側部材と押さえ側部材の嵌合は他の方法でもよく、例えば受け側部材に凹部を設け、前記凹部に対応した押さえ側部材に凸部を設け、凸部を凹部に挿入するようにして押さえ側部材を受け側部材に被せるように嵌合してもよい。
【００２４】
すなわち、本実施形態例に係る光ファイバ接続部収納装置は、押さえ側部材と受け側部材より構成され、押さえ側部材と受け側部材を嵌合させることで筐体を形成する。受け側部材の光ファイバ心線接続部収納部に光ファイバ心線接続部を収納し、押さえ側部材及び受け側部材の両端にある光ファイバ被覆把持部によりインドア光ファイバや光ファイバ心線コードの被覆ごと把持する機能を有している。従って、受け側部材の形状は、光ファイバ心線接続部収納部及び光ファイバ被覆把持部を収納できるスペースのみ必要であり、心線余長を収納するスペースはほとんど必要ない。
【００２５】
以上のように本実施形態例に係る光ファイバ接続部収納装置は、光ファイバの接続においてその光ファイバ心線部分の露出及び接続余長を必要とせず、融着スリーブやメカニカルスプライス等による接続部を収納できる。また、接続部は接続の種類に限定されるものではない。例えばＳＣコネクタやＭＴＲＪコネクタなどを用いた接続部でも構わない。また収納できる光ファイバ心線数も１心、２心、４心テープ、８心テープなどその光ファイバ心線数や単心、テープ状などの形状に関わらず収納できる。また、インドア光ファイバや光コード等の光ファイバの種類や形状にかかわらず被覆部分をそのインドア光ファイバや光コード内にあるテンションメンバやケブラ材等を使用することなく、また光ファイバ心線に影響を与えることなく、その光ファイバ接続部収納装置自体で光ファイバを把持できる。
【００２６】
また、インドア光ファイバや光コードなどの被覆部分をその光ファイバ接続部収納装置により直接把持できる構造とすることで、専用のケーブル把持部材や、ケーブル加工をなくし、さらには光ファイバ再接続に必要となる心線余長をインドア光ファイバなどの被覆を裂いていないケーブル部分で確保することで、心線余長収納部を必要とせず、その光ファイバ接続部収納装置の筐体サイズを小さくし、設置スペースが狭くても設置できることを可能とする。
【００２７】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２８】
【図１】本発明の実施形態例に係る光ファイバ接続部収納装置を示す分解斜視図である。
【図２】（ａ）は本発明の実施形態例に係る光ファイバ接続部収納装置の使用状態を示す分解斜視図であり、（ｂ）は本発明の実施形態例に係る光ファイバ接続部収納装置の使用状態を示す斜視図である。
【図３】本発明の実施形態例に係る光ファイバ被覆把持部の突起構造を示す斜視図である。
【図４】従来の光ファイバ接続部収納装置の一例である光ローゼットを示す分解上面図である。
【図５】従来の光ファイバ把持具の一例であるテンションメンバ把持具の取付前の状態を示す正面図である。
【図６】従来の光ファイバ把持具の一例であるテンションメンバ把持具の取付後の状態を示す正面図である。
【符号の説明】
【００２９】
３１…受け側部材、３２…光ファイバ心線接続部収納部、３３…光ファイバ被覆把持部、３４…固定用穴、３５…押さえ側部材、３６…光ファイバ被覆把持部。
【図１】
2006323086.tif 000003
【図２】
2006323086.tif 000004
【図３】
2006323086.tif 000005
【図４】
2006323086.tif 000006
【図５】
2006323086.tif 000007
【図６】
2006323086.tif 000008